(57)【要約】【課題】  クロック信号によるノイズの影響を、安価且つ簡単な回路構成で低減させた電子装置及びクロック信号供給制御方法の提供。【解決手段】  スケーラＩＣ１２１からＴＶマイコン１３１へのＯＳＤクロック信号線供給ラインであるＯＳＤクロック信号線１７と基準電位（グランド）との間にバイパス回路１２２を設け、装置起動時の発振不安定期間若しくはＴＶマイコン１３１がＯＳＤクロック信号を必要としない期間において、バイパス回路１２２をオンとすることにより、ＯＳＤクロック信号をグランドに接地し、ＯＳＤクロック信号線１７から発せられるノイズを低減させる。【選択図】  図２
2006109379.tif 000002
【特許請求の範囲】
【請求項１】
各種ＩＣや電子回路における同期信号となるクロック信号を発生させる発振回路と、当該発振回路からの前記クロック信号が出力されるクロック信号線と基準電位となるグランド線との間に設けられるバイパス回路と、を備え、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させることを特徴とする電子装置。
【請求項２】
複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備え、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする電子装置。
【請求項３】
複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備え、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させるようにし、且つ、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする電子装置。
【請求項４】
前記電子装置が、映像信号を装置の解像度に合わせて変換するスケーラ回路を備えた表示装置であり、前記発振回路が、パネル表示用のクロックを生成する発振回路であり、且つ、当該パネル表示用のクロックがＯＳＤ信号を生成するためのＯＳＤクロックとしても出力され、前記バイパス回路が、前記ＯＳＤクロックが出力されるクロック信号線と前記グランド線との間に設けられたことを特徴とする請求項１乃至請求項３の何れか１つに記載の電子装置である表示装置。
【請求項５】
前記スケーラ回路と前記発振回路とが備えられたスケーラＩＣの、前記ＯＳＤクロックが出力されるＯＳＤクロック出力端子の近傍となる部分に、前記バイパス回路が形成されたことを特徴とする請求項４記載の表示装置。
【請求項６】
各種ＩＣや電子回路における同期信号となるクロック信号を発生させる発振回路と、当該発振回路からの前記クロック信号が出力されるクロック信号線と基準電位となるグランド線との間に設けられるバイパス回路と、を備えた電子装置のクロック信号供給制御方法であって、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させることを特徴とするクロック信号供給制御方法。
【請求項７】
複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備えた電子装置のクロック信号供給制御方法であって、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とするクロック信号供給制御方法。
【請求項８】
複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備えた電子装置のクロック信号供給制御方法であって、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させるようにし、且つ、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とするクロック信号供給制御方法。
【請求項９】
前記電子装置が、映像信号を装置の解像度に合わせて変換するスケーラ回路を備えた表示装置であり、前記発振回路が、パネル表示用のクロックを生成する発振回路であり、且つ、当該パネル表示用のクロックがＯＳＤ信号を生成するためのＯＳＤクロックとしても出力され、前記バイパス回路が、前記ＯＳＤクロックが出力されるクロック信号線と前記グランド線との間に設けられることにより、前記ＯＳＤクロックの供給制御を行うことを特徴とする請求項６乃至請求項８の何れか１つに記載のクロック信号供給制御方法。
【発明の詳細な説明】
【技術分野】
【０００１】
本発明は、クロック信号の供給制御方法及び、クロック信号の供給制御について考慮された電子装置に関する。
【背景技術】
【０００２】
近年の電子装置は、その構成として、アナログ回路とデジタル回路との双方を備えるものがほとんどであり、アナログ信号とデジタル信号の双方を扱っている。このような電子装置内では、信号をアナログからデジタルへと変換する場合の同期信号となるクロックや、ＩＣなどのシステムクロックなど、多種のクロック信号が使用されている。このようなクロック信号は、電子装置で扱う情報の巨大化及び高速化に伴い高周波化しており、高い周波数のクロック信号の発生源である発振回路やクロック信号が流れるラインはノイズの発生源となっている。また、多種類の周波数のクロック信号が使用されることにより、電子装置内外で扱われる各信号相互の高調波ノイズの影響も問題となっている。
【０００３】
上記したようなノイズ問題に対し、不要なクロックの発振を停止させることにより不要輻射ノイズの低減と低電力化を図った従来技術が特許文献１〜特許文献４等によって開示されており、クロック信号が流れるラインにスイッチを設け、クロック信号が不要である場合にはスイッチを開放することによりクロック信号をラインに流さないようにすることで、ノイズの影響を低減させた従来技術が特許文献５〜特許文献６などによって開示されている。
【０００４】
【特許文献１】特開平７−５５４９８号公報
【特許文献２】特開平８−１３０６８９号公報
【特許文献３】特開平８−２５６０７６号公報
【特許文献４】特開平１０−２０８３５号公報
【特許文献５】実開平５−２０４７３号公報
【特許文献６】特開２０００−２９３５０４号公報
【発明の開示】
【発明が解決しようとする課題】
【０００５】
特許文献１〜特許文献４等によって開示される従来技術では、不要なクロック（動作していない回路へのクロック）の発振を停止（クロック信号を発生する発振回路の発振動作停止）させることにより不要輻射ノイズの低減と低電力化を図るものとしているが、１つの発振回路から複数の回路へクロックを供給している場合（必ずしも同一周波数のクロックを複数の回路に供給しているものに限らず、基本周波数を分周若しくは逓倍してそれぞれの回路に供給している場合もあり、１つの発振源から多数の回路へクロック信号が供給されるケースは多い）、発振自体を停止させてしまうと全ての回路へのクロック供給が停止してしまうため、「クロックを必要としていない一部の回路へのクロック信号の供給のみを停止させる」ということができないものであった。
【０００６】
一方、特許文献５〜特許文献６等によって開示される従来技術では、クロック信号が流れるラインにスイッチを設け、クロック信号が不要である場合にはスイッチを開放することによりクロック信号をラインに流さないようにすることで、ノイズの影響を低減させるものとしており、この場合、「クロック信号を必要としていない回路のみへのクロック供給を停止させる」ことが可能となるが、「スイッチ」はコスト上の理由等からトランジスタを用いて構成されるのが一般的であり、クロック信号のラインにトランジスタを設ける（信号ラインに直列にエミッタ・コレクタを接続し（ｎｐｎ型の場合）、ベースへの制御信号により信号ラインをオン・オフする）と、信号ラインにトランジスタによる電圧降下が生じるという問題や、クロックが高周波である場合には、高周波対応のトランジスタを使用する必要があり、コスト高となる問題、さらには、クロック信号の位相がずれる可能性があるなどの問題が生じる。「スイッチ」にトランジスタではなくリレーや切換え専用ＩＣなどを使用することもできるが、この場合、部品の大型化やコスト高となるものであった。
【０００７】
また、発振回路の発振開始時には、発振周波数が安定しない期間があり、周波数が安定していない場合には当然にクロック信号としての用を成さず、この間におけるクロック信号ラインはノイズ発生源となるだけのものとなる。「発振開始時の発振周波数不安定期間」とは、単純に特定の周波数の発振のみを行う発振回路が、安定した発振を開始するまでの期間の他に、例えば、「多種類の周波数の発振をできる汎用のＩＣ（発振回路を含むＩＣ）であって、当該汎用ＩＣが組み込まれた装置に適合する周波数をサーチするために、起動時に、高い周波数から順次低い周波数へと切り替えながら適合周波数を検出する動作を行うため、発振開始時（起動時）に発振周波数が変化する」という場合などがある。
【０００８】
本発明は、上述した点に鑑み、クロック信号によるノイズの影響を、安価且つ簡単な回路構成で低減させた電子装置及びクロック信号供給制御方法を提供することを目的とする。
【課題を解決するための手段】
【０００９】
請求項１の電子装置は、各種ＩＣや電子回路における同期信号となるクロック信号を発生させる発振回路と、当該発振回路からの前記クロック信号が出力されるクロック信号線と基準電位となるグランド線との間に設けられるバイパス回路と、を備え、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させることを特徴とする。
【００１０】
上記構成によれば、発振回路の発振開始時における発振周波数が安定しない期間（クロック信号としての用を成さない期間）において、クロック信号が出力されるクロック信号線と基準電位となるグランド線との間に設けられるバイパス回路がオンとされ、クロック信号（発振周波数が安定していない信号）がグランドに接地される。なお、「発振開始時の発振周波数不安定期間」とは、前述したごとく、単純に特定の周波数の発振のみを行う発振回路が、安定した発振を開始するまでの期間の他に、例えば、「多種類の周波数の発振をできる汎用のＩＣ（発振回路を含むＩＣ）であって、当該汎用ＩＣが組み込まれた装置に適合する周波数をサーチするために、起動時に、高い周波数から順次低い周波数へと切り替えながら適合周波数を検出する動作を行うため、発振開始時（起動時）に発振周波数が変化する期間」のように、ＩＣの規格上、起動時に発振周波数が変化するような場合なども含む。
【００１１】
請求項２の電子装置は、複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備え、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする。
【００１２】
上記構成によれば、クロック信号を必要としていないＩＣ若しくは電子回路へのクロック信号線とグランド線との間に設けられるバイパス回路がオンとされ、クロック信号を必要としていないＩＣ若しくは電子回路へのクロック信号のみがグランドに接地される。なお、「クロック信号を必要としていないＩＣ若しくは電子回路」とは、クロック信号を全く使用することがないＩＣ若しくは電子回路ということではなく、各ＩＣ若しくは電子回路の動作状況により、クロック信号の必要の有無が変動するものであって、クロック信号を必要としていない状態であるＩＣ若しくは電子回路などを示すものである。
【００１３】
請求項３の電子装置は、複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備え、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させるようにし、且つ、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする。
【００１４】
上記構成によれば、発振回路の発振開始時における発振周波数が安定しない期間（クロック信号としての用を成さない期間）において、クロック信号線と基準電位となるグランド線との間に設けられるバイパス回路がオンとされることによりクロック信号（発振周波数が安定していない信号）がグランドに接地され、且つ、クロック信号を必要としていないＩＣ若しくは電子回路へのクロック信号線とグランド線との間に設けられるバイパス回路がオンとされることによりクロック信号を必要としていないＩＣ若しくは電子回路へのクロック信号のみがグランドに接地される。
【００１５】
請求項４の表示装置は、請求項１乃至請求項３の何れか１つに記載の電子装置である表示装置であって、前記電子装置が、映像信号を装置の解像度に合わせて変換するスケーラ回路を備えた表示装置であり、前記発振回路が、パネル表示用のクロックを生成する発振回路であり、且つ、当該パネル表示用のクロックがＯＳＤ信号を生成するためのＯＳＤクロックとしても出力され、前記バイパス回路が、前記ＯＳＤクロックが出力されるクロック信号線と前記グランド線との間に設けられたことを特徴とする。
【００１６】
上記構成によれば、発振回路の発振開始時における発振周波数が安定しない期間（クロック信号としての用を成さない期間）において、ＯＳＤクロックがグランドに接地され、且つ、ＯＳＤ機能が動作していない（ＯＳＤ信号を生成する回路が動作していない）期間においてＯＳＤクロックがグランドに接地される。
【００１７】
請求項５の表示装置は、請求項４記載の表示装置であって、前記スケーラ回路と前記発振回路とが備えられたスケーラＩＣの、前記ＯＳＤクロックが出力されるＯＳＤクロック出力端子の近傍となる部分に、前記バイパス回路が形成されたことを特徴とする。
【００１８】
上記構成によれば、ＯＳＤクロック出力端子とバイパス回路との距離が短いものとなる。
【００１９】
請求項６のクロック信号供給制御方法は、各種ＩＣや電子回路における同期信号となるクロック信号を発生させる発振回路と、当該発振回路からの前記クロック信号が出力されるクロック信号線と基準電位となるグランド線との間に設けられるバイパス回路と、を備えた電子装置のクロック信号供給制御方法であって、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させることを特徴とする。
【００２０】
請求項７のクロック信号供給制御方法は、複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備えた電子装置のクロック信号供給制御方法であって、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする。
【００２１】
請求項８のクロック信号供給制御方法は、複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備えた電子装置のクロック信号供給制御方法であって、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させるようにし、且つ、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする。
【００２２】
請求項９のクロック信号供給制御方法は、請求項６乃至請求項８の何れか１つに記載のクロック信号供給制御方法であって、前記電子装置が、映像信号を装置の解像度に合わせて変換するスケーラ回路を備えた表示装置であり、前記発振回路が、パネル表示用のクロックを生成する発振回路であり、且つ、当該パネル表示用のクロックがＯＳＤ信号を生成するためのＯＳＤクロックとしても出力され、前記バイパス回路が、前記ＯＳＤクロックが出力されるクロック信号線と前記グランド線との間に設けられることにより、前記ＯＳＤクロックの供給制御を行うことを特徴とする。
【発明の効果】
【００２３】
本発明の請求項１の、各種ＩＣや電子回路における同期信号となるクロック信号を発生させる発振回路と、当該発振回路からの前記クロック信号が出力されるクロック信号線と基準電位となるグランド線との間に設けられるバイパス回路と、を備え、前記発振回路の発振開始時における発振周波数不安定期間において、前記バイパス回路をオンとすることにより前記発振周波数不安定期間における前記クロック信号をグランドに接地し、前記発振回路の発振周波数が安定した後に、前記バイパス回路をオフとすることにより前記クロック信号を前記クロック信号線から出力させることを特徴とする電子装置によれば、発振回路の発振開始時における発振周波数が安定しない期間（クロック信号としての用を成さない期間であり、すなわちクロック信号線がノイズ発生源となるだけのものとなっている期間）において、クロック信号がグランドに接地されるため、クロック信号線からのノイズの影響を低減させることができる。また、「バイパス回路」は、クロック信号線とグランド線との間にトランジスタを接続する（コレクタをクロック信号線に、エミッタをグランド線に接続し、ベースに入力する制御信号によりオン・オフさせる）ことによって構成することができるため、簡単且つ安価な回路構成とすることができ、且つ、前述したような、クロック信号が流れるラインにスイッチを設け、クロック信号が不要である場合にはスイッチを開放するように構成した場合に問題となる、クロック信号線に生じるトランジスタによる電圧降下や、高周波対応のトランジスタを使用する必要性、クロック信号の位相がずれる可能性といったことを考慮する必要が無い。
【００２４】
本発明の請求項２の、複数の各種ＩＣや電子回路における同期信号となるクロック信号を発生させる発振回路と、当該複数の各種ＩＣ若しくは電子回路のそれぞれに接続される前記発振回路からの前記クロック信号が出力されるクロック信号線と基準電位となるグランド線との間に設けられるバイパス回路と、を備え、前記各種ＩＣ若しくは電子回路のうち前記クロック信号を必要としていないＩＣ若しくは電子回路に接続される前記クロック信号線と前記グランド線との間に設けられた前記バイパス回路をオンとすることにより、前記クロック信号を必要としていないＩＣ若しくは電子回路に対する前記クロック信号の供給を停止させることを特徴とする電子装置によれば、クロック信号を必要としていないＩＣ若しくは電子回路へのクロック信号のみがグランドに接地されるため、１つの発振回路から複数の回路へクロックを供給している場合であっても、クロック信号線に不要なクロック信号が供給されることを防止することができ、クロック信号線からのノイズの影響を低減させることができる。また、クロックの発振自体は停止していないため、停止状態であった回路（クロック信号を必要とする回路）が起動する際に、即座に安定した発振状態のクロック信号を供給することができる。
【００２５】
本発明の請求項５の、前記スケーラ回路と前記発振回路とが備えられたスケーラＩＣの、前記ＯＳＤクロックが出力されるＯＳＤクロック出力端子の近傍となる部分に、前記バイパス回路が形成されたことを特徴とする請求項４記載の表示装置によれば、ＯＳＤクロック出力端子とバイパス回路との距離が短いものとなるため、バイパス回路オン時（ＯＳＤクロックのグランド時）に、ＯＳＤクロックが印加されるクロック信号線の距離も短くなり、クロック信号線からのノイズの影響を低減させることができる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例の液晶表示装置１の本発明に関する部分のみの概略を示すブロック図であり、図２はバイパス回路の一例を示す回路ブロック図である。図３は液晶表示装置１の外観を示す斜視図であり、図４は液晶表示装置１の起動時（電源オン時）の本発明に関する部分の動作の概略を示すフローチャートである。
【００２８】
図１〜図３に示されるように、液晶表示装置１は、表示部（液晶）１１、表示部１１を制御するためのＬＣＤ制御基板１２、外部から入力される映像・音声信号の処理や装置全体の制御を行うＴＶ基板１３、リモコン装置２と共に入力インターフェースとなる操作部１４などを有する。ＬＣＤ制御基板１２には、映像信号を装置の解像度に合わせて変換するスケーラ回路と、パネル表示用のクロックを生成する発振回路と、を有するスケーラＩＣ１２１が備えられ、ＯＳＤクロック信号をグランドに接地するバイパス回路１２２が備えられる。ＯＳＤクロック信号は、ＯＳＤ（Ｏｎ  Ｓｃｒｅｅｎ  Ｄｉｓｐｌａｙ）信号を生成するために使用される同期信号である。ＴＶ基板１３は、装置全体の制御やＯＳＤ信号の生成を行うＴＶマイコン１３１や、チューナ部１３２、外部入出力部であるＡＶ入力部１３３、リモコン装置２からの信号を受信する受光部１３４などを備え、図１のブロック図では概略化しているが、ＴＶ基板１３内の各部とＬＣＤ制御基板１２内の各部とがＦＦＣなどによって電気的に接続される。なお、本実施例の液晶表示装置１は、アナログ回路部分とデジタル回路部分を可能な限り別基板とすることにより、アナログ回路とデジタル回路とにおける相互のノイズの影響の低減を図っており、これにより、主にデジタル信号を処理するスケーラＩＣと主にアナログ信号を処理するＴＶマイコンとが別基板に実装されるように構成されている。
【００２９】
パネル表示用のクロックは、表示部１１の画面を構成する各画素の点灯制御を行うためのドットクロックであり、その周波数は、映像信号の垂直同期周波数や表示画面の解像度などによって定まる（例えば、映像信号の垂直同期が６０Ｈｚで、有効解像度が６４０×４８０（ＶＧＡ規格）である場合には、２７ＭＨｚとなる）。ＯＳＤ機能は、文字情報などを画面に表示させる機能であり、映像に重畳されて表示されるものであるため、ＯＳＤ信号もパネル表示用のクロックと同一周波数の同期信号に基づいて生成される必要がある。従って、ＯＳＤクロック信号（パネル表示用のクロックと同一）が、パネル表示用のクロックを生成するスケーラＩＣ１２１から、ＯＳＤ信号を生成するＴＶマイコン１３１に、ＯＳＤクロック信号線１７を介して供給される。なお、本実施例のスケーラＩＣ１２１は、表示画面の解像度がＶＧＡ規格及びＸＧＡ規格であるものの双方に使用できる汎用ＩＣであり、ＸＧＡ規格の解像度に対応した６４ＭＨｚのパネル表示用クロックも発生させることができ、起動時のイニシャル設定がＸＧＡ仕様となっているため、起動時には先ず６４ＭＨｚでの発振を行い、表示画面の解像度がＶＧＡ規格である場合には、これを検知した後に２７ＭＨｚの発振を行う動作をするものとなっている。
【００３０】
図２にはスケーラＩＣ１２１から出力されるＯＳＤクロック信号をグランドに接地させるためのバイパス回路１２２の１例を示した。図に示されるように、トランジスタ１２２１のコレクタがコンデンサ１８を介してＯＳＤクロック信号線１７に、エミッタが基準電位（グランド線）に接続され、ベースが抵抗１２２３を介して定電圧源（５Ｖ）に接続される。さらに、トランジスタ１２２２のコレクタが定電圧源（５Ｖ）と抵抗１２２３との間に接続され、エミッタがグランド線に、ベースが抵抗１２２４を介してＴＶマイコン１３１に接続される。このような構成によりバイパス回路１２２は、ＴＶマイコン１３１からの制御信号（ハイレベル信号）によりトランジスタ１２２２がオンとなることによってトランジスタ１２２１がオフとなり（バイパス回路１２２オフ）、ＯＳＤクロック信号がスケーラＩＣ１２１からＴＶマイコン１３１へと入力される。一方、ＴＶマイコン１３１からの制御信号（ローレベル信号）によりトランジスタ１２２２がオフとなると、トランジスタ１２２１がオンとなり（バイパス回路１２２オン）、ＯＳＤクロック信号がグランドに接地される。なお、コンデンサ１８・コンデンサ１９は、ＩＣ保護用や高調波ノイズ抑制用のコンデンサである。上記のような構成としているのは、装置の起動時（電源オン時）などに確実にＯＳＤクロック信号をグランドに接地させるためであり（図２のような構成とすることにより、電源オン時に定電圧源の電圧が得られると同時にトランジスタ１２２１がオンとなり、ＴＶマイコン１３１からの制御信号が無い（ローレベル）状態においてＯＳＤクロック信号線１７がグランドに接地されるようになる）、本発明の適用に好適なものであるが、本発明をこれに限るものではなく、ＯＳＤクロック信号線とグランドとの間をバイパスオン・オフさせることができるものであればよい（例えば、トランジスタ１２２１のベースに直接ＴＶマイコン１３１の制御信号を入力するようにしてもよい）。
【００３１】
次に、図４を参照しつつ、液晶表示装置１の起動時（電源オン時）の本発明に関する部分の動作の概略を説明する。ＴＶマイコン１３１は、ステップ４１で電源スイッチ（操作部１４に備えられる電源スイッチ１４ａ若しくはリモコン装置２に備えられる電源スイッチ２ａ）の入力待ちを行い、電源オンの入力があった場合には、バイパス回路１２２をオン（図２に示したようなバイパス回路の場合は、装置の起動と同時にバイパス回路がオンとなる）とし（ＯＳＤクロック信号をグランドに接地し）、タイマをスタートする。タイマはＴＶマイコン１３１が有するタイマ機能によってもよいし、ＴＶマイコン１３１外のタイマ回路によってもよい（ステップ４２）。続くステップ４３では、タイマが１５０ｍ秒経過（電源オンから１５０ｍ秒経過）したか否かを判断し、経過した場合には、バイパス回路１２２をオフとする（ＯＳＤクロック信号をＴＶマイコンへ入力）。なお、「１５０ｍ秒」とは、スケーラＩＣ１２１のクロック発振周波数が安定するのに（前述してきたごとく、起動時の周波数変動期間を経て周波数が一定するのに）十分な時間としての具体例であり、スケーラＩＣ１２１の仕様などに伴って適宜変更されて適用されるものである。
【００３２】
このような構成とすることにより、装置の電源オン時における発振回路（スケーラＩＣ１２１）の発振周波数が安定しない期間（クロック信号としての用を成さない期間であり、すなわちＯＳＤクロック信号線１７がノイズ発生源となるだけのものとなっている期間）において、ＯＳＤクロック信号線１７がグランドに接地されるため、ＯＳＤクロック信号線１７からのノイズの影響を低減させることができるのである。特に、本実施例の液晶表示装置１のごとく、ＯＳＤクロック信号線１７が、２つの基板間を接続するものであり、フラットケーブルのような接続線によって構成される部分があるような場合（アナログ回路部分とデジタル回路部分を可能な限り別基板としたため）には、当該ケーブル部分からの不要輻射ノイズが多くなるため、ケーブル部分に至る前（ＬＣＤ制御基板１２内）でＯＳＤクロック信号線１７をグランドに接地することにより、ノイズの影響を大幅に低減させることができる。なお、図５に、スケーラＩＣ１２１とバイパス回路１２２との距離関係を示すために、ＬＣＤ制御基板１２のバイパス回路１２２が備えられる部分の実際のパターンの拡大図を示した（ＬＣＤ制御基板１２は多層基板で構成されるため、基板表面を示した図５のみでは回路的には意味を成さない）。スケーラＩＣ１２１のＯＳＤクロック信号の出力端子は、図中のＣ６５４付近であり、バイパス回路１２２との距離は実測で１．５ｃｍ程度となっている。このように、ＯＳＤクロック信号の出力端子の近傍にバイパス回路１２２を設けることにより、ＯＳＤクロック信号が印加されるＯＳＤクロック信号線の距離も短くなり（バイパス回路１２２オン時）、ＯＳＤクロック信号線からのノイズの影響を低減させることができる。
【００３３】
なお、本実施例では、電子装置の例として表示装置であるＬＣＤを用いて説明し、ノイズ抑止のためにグランドに接地するクロック信号の一例としてＯＳＤクロック信号を採り上げているが、本発明をこれに限るものではなく、ＩＣや電子回路の同期信号となるクロック信号を使用する電子装置に対して有効に適用することができる。また、表示装置の例としてＬＣＤを用いて説明したが、本発明をこれに限るものではなく、表示画面を構成する各画素の点灯制御を行うためにドットクロックが必要となるもの（例えばＰＤＰ：Plasma Display Panelやプロジェクターなど）であれば本実施例と同様の概念で、有効に適用することができる。加えて、本実施例では、スケーラＩＣ１２１のクロック発振周波数が安定したか否かの判断を時間制御によって行っているが、本発明をこれに限るものではなく、例えば、スケーラＩＣ１２１のクロック発振周波数を監視し（実測し）、発振周波数が所定レベルに達したか否かを判断する等してもよい。
【実施例２】
【００３４】
図６は液晶表示装置の本発明に関する部分の動作の概略を示すフローチャートである。なお、本実施例における液晶表示装置は実施例１と同様の構成であるため、ここでの説明を省略し、必要があるときは図１〜図３などを参照して説明する。
【００３５】
本実施例のＯＳＤクロック信号供給制御について図６を参照しつつ説明する。ＯＳＤ機能が起動していない場合には、バイパス回路１２２をオンとすることでＯＳＤクロック信号をグランドに接地する（ステップ６１）。ステップ６２ではＯＳＤ機能の起動（操作部１１４やリモコン装置２からの入力により発生するＯＳＤ表示要求や、他の機能からのＯＳＤ表示要求など）の有無を確認し、ＯＳＤ機能の起動があった場合（ＴＶマイコン１３１は、文字情報等をＯＳＤ信号へ変換する回路を備え、ＯＳＤ表示要求があった場合にＯＳＤ信号を生成するものであるため、「ＯＳＤ機能の起動及び終了」を判断することができる。）にはバイパス回路１２２をオフとしてＯＳＤクロック信号をＴＶマイコン１３１へと入力する。なお、ＯＳＤ機能の動作の概略は、ＴＶマイコン１３１が、入力されたＯＳＤクロック信号に基づいてＯＳＤ信号を生成し、当該ＯＳＤ信号がスケーラＩＣ１２１へと入力され、スケーラＩＣ１２１において映像信号（チューナ部１３２若しくはＡＶ入力部１３３から入力される映像信号をパネル表示用のクロックに基づいて変換したもの）にＯＳＤ信号が重畳されて表示部１１に送出されることによって行われる。ステップ６４では、ＯＳＤ機能の動作終了か否かを判断し、ＯＳＤ機能が動作を終了した場合には、ステップ６１へと移行してバイパス回路１２２をオンとする。
【００３６】
以上のごとく、本実施例によれば、ＯＳＤ機能（文字情報等をＯＳＤ信号へ変換する回路）がＯＳＤクロック信号を必要としていない場合には、ＯＳＤクロック信号をグランドに接地するため、ＯＳＤクロック信号線１７に不要なクロック信号が供給されることを防止することができ、ＯＳＤクロック信号線１７からの不要輻射ノイズの発生を低減させることができる。なお且つ、本実施例によれば、ＯＳＤクロック信号のみの供給を停止させることができ、また、クロックの発振自体は停止させていないため、当該クロックを使用する他の回路（例えばパネル表示用のクロックを使用して表示部の解像度に合わせた映像信号を生成するスケーラ回路）の動作に影響を与えることが無い。加えて、クロックの発振が停止していないため、ＯＳＤ機能が起動する際に、即座に安定した発振状態のクロック信号を供給することができる。なお、図７に別のＯＳＤクロック信号供給制御を示すフローチャートを示した。図７におけるＯＳＤクロック信号供給制御は、実施例１（図４）と実施例２（図６）の機能を包含するものであり、それぞれの実施例と同様の動作概念について同一の符号を使用している。図７に示されるＯＳＤクロック信号供給制御によれば、電源オン後の１５０ｍ秒以内の期間においては、ＯＳＤ表示要求の有無に関わらずバイパス回路１２２をオン（ＯＳＤクロック信号をグランドに接地）としており（図７ステップ４２・ステップ４３）、当該期間の経過後にＯＳＤ機能の起動／終了に従ってバイパス回路１２２をオフ／オンとしている（図７ステップ６１〜ステップ６４）。このような構成により、電源オン時の発振不安定期間（ＯＳＤクロックが本来の機能を成さない期間）においてはＯＳＤ表示要求の有無に関わらずＯＳＤクロック信号がグランドに接地され、当該期間の経過後には、ＯＳＤ機能の起動期間のみＯＳＤクロック信号の供給が行われるため、ＯＳＤクロック信号線１７からの不要輻射ノイズの発生を有効に低減させることができる。
【図面の簡単な説明】
【００３７】
【図１】液晶表示装置の本発明に関する部分のみの概略を示すブロック図
【図２】バイパス回路の一例を示す回路ブロック図
【図３】液晶表示装置の外観を示す斜視図
【図４】液晶表示装置の起動時（電源オン時）の本発明に関する部分の動作の概略を示すフローチャート
【図５】ＬＣＤ制御基板のバイパス回路が備えられる部分の実際のパターンの拡大図
【図６】液晶表示装置の本発明に関する部分の動作の概略を示すフローチャート
【図７】液晶表示装置の本発明に関する部分の別の動作の概略を示すフローチャート
【符号の説明】
【００３８】
１      液晶表示装置（電子装置）
１２    ＬＣＤ制御基板
１３    ＴＶ基板
１７    ＯＳＤクロック信号線
１２１  スケーラＩＣ
１２２  バイパス回路
１３１  ＴＶマイコン
【図１】
2006109379.tif 000003
【図２】
2006109379.tif 000004
【図３】
2006109379.tif 000005
【図４】
2006109379.tif 000006
【図５】
2006109379.tif 000007
【図６】
2006109379.tif 000008
【図７】
2006109379.tif 000009